(57)【特許請求の範囲】
【請求項１】
天面板、底面板および前記天面板と前記底面板との間を塞ぐ側面板とを有する箱体形状を呈し、室外から室内に向かう給気流を通す給気通風路と室内から室外に向かう排気流を通す排気通風路とが内部に形成されたケーシングと、
前記ケーシングの内部に設けられて前記給気流と前記排気流との間で熱交換させる熱交換素子と、
前記給気通風路に設けられて前記給気流を加湿する加湿部と、
前記側面板に形成されたメンテナンス用の開口を塞ぐ閉塞面を有して板状形状を呈する蓋と、を備え、
前記蓋には、前記開口が形成される前記側面板と平行かつ水平方向に突出する軸部が形成され、
前記ケーシングには、前記開口の上方で前記軸部を支持して、前記軸部を通る回転軸を中心に前記蓋を回転可能とする蓋支持片が形成され、
前記蓋支持片には、上下方向に延びて前記軸部が嵌る溝が形成され、
前記蓋の前記閉塞面の反対面となる外側面のうち前記開口を塞いだ状態において前記回転軸を含む水平面と重なる部分を第１の基準部とし、前記第１の基準部と前記回転軸との距離を第１の基準距離とした場合に、
前記蓋の外側面は、前記蓋が前記開口を塞いだ状態において前記第１の基準部よりも上方となる領域に、前記回転軸との距離が前記第１の基準距離よりも大きい第２の基準距離となる第２の基準部を有し、
前記溝は上方よりも下方のほうが、前記開口が形成された前記側面板との距離が近く、
溝の上方に前記軸部が位置している状態で、前記開口が形成された前記側面板と前記回転軸との距離が、前記開口を塞いだ状態において前記蓋のうち前記水平面よりも上方となる部分と前記蓋の回転軸との最大距離よりも大きくなり、
溝の下方に前記軸部が位置している状態で、前記開口が形成された前記側面板と前記回転軸との距離が、前記第１の基準距離以上かつ前記第２の基準距離未満となることを特徴とする熱交換換気装置。
【請求項２】
溝の下方に前記軸部が位置している状態で、前記開口が形成された前記側面板と前記回転軸との距離が、前記第１の基準距離と等しいことを特徴とする請求項１に記載の熱交換換気装置。
【請求項３】
前記開口を塞いだ状態における前記蓋の上端面のうち前記開口を塞いだ状態において前記回転軸を含む鉛直面と重なる部分を第３の基準部とし、前記第３の基準部と前記回転軸との距離を第３の基準距離とした場合に、
前記蓋の上端面は、前記蓋が前記開口を塞いだ状態において前記第３の基準部よりも前記開口が形成された前記側面板に近い領域に、前記回転軸との距離が前記第３の基準距離よりも大きい第４の基準距離となる第４の基準部を有し、
前記第１の基準距離と前記第３の基準距離が等しいことを特徴とする請求項１または２に記載の熱交換換気装置。
【請求項４】
天面板、底面板および前記天面板と前記底面板との間を塞ぐ側面板とを有する箱体形状を呈し、室外から室内に向かう給気流を通す給気通風路と室内から室外に向かう排気流を通す排気通風路とが内部に形成されたケーシングと、
前記ケーシングの内部に設けられて前記給気流と前記排気流との間で熱交換させる熱交換素子と、
前記給気通風路に設けられて前記給気流を加湿する加湿部と、
前記側面板に形成されたメンテナンス用の開口を塞ぐ閉塞面を有して板状形状を呈する蓋と、を備え、
前記蓋には、前記開口が形成される前記側面板と平行かつ水平方向に突出する軸部が形成され、
前記ケーシングには、前記開口の上方で前記軸部を支持して、前記軸部を通る回転軸を中心に前記蓋を回転可能とする蓋支持片が形成され、
前記蓋支持片には、上下方向に延びて前記軸部が嵌る溝が形成され、
前記開口を塞いだ状態における前記蓋の上端面のうち前記開口を塞いだ状態において前記回転軸を含む鉛直面と重なる部分を第３の基準部とし、前記第３の基準部と前記回転軸との距離を第３の基準距離とした場合に、
前記蓋の上端面は、前記蓋が前記開口を塞いだ状態において前記第３の基準部よりも前記開口が形成された前記側面板に近い領域に、前記回転軸との距離が前記第３の基準距離よりも大きい第４の基準距離となる第４の基準部を有し、
前記溝は上方よりも下方のほうが、前記開口が形成された前記側面板との距離が近く、
溝の上方に前記軸部が位置している状態で、前記開口が形成された前記側面板と前記回転軸との距離が、前記開口を塞いだ状態において前記蓋のうち前記回転軸を含む水平面よりも上方となる部分と前記蓋の回転軸との最大距離よりも大きくなり、
溝の下方に前記軸部が位置している状態で、前記開口が形成された前記側面板と前記回転軸との距離が、前記第３の基準距離以上かつ前記第４の基準距離未満となることを特徴とする熱交換換気装置。
【請求項５】
溝の下方に前記軸部が位置している状態で、前記開口が形成された前記側面板と前記回転軸との距離が、前記第３の基準距離と等しいことを特徴とする請求項４に記載の熱交換換気装置。
【発明の詳細な説明】
【技術分野】
【０００１】
本発明は、給気流と排気流との間で熱交換を行いながら換気を行う熱交換換気装置に関する。
【背景技術】
【０００２】
室内の温度および湿度の変動が少ない換気を実現するために、給気流と排気流との間で熱交換を行いながら換気を行う熱交換換気装置が特許文献１に開示されている。熱交換換気装置の外装箱には、内部に設けられた熱交換素子や加湿部をメンテナンスするための開口が形成されている。
【先行技術文献】
【特許文献】
【０００３】
【特許文献１】特開２０１４−２２４６６３号公報
【発明の概要】
【発明が解決しようとする課題】
【０００４】
外装箱に形成された開口は、蓋であるメンテナンスパネルによって塞がれている。外装箱の内部に設けられた熱交換素子および加湿部をメンテナンスする際には、メンテナンスパネルが取り外される。しかしながら、取り外したメンテナンスパネルを落下させることで、メンテナンスパネル自体を破損させたり、落下先に置かれた物を破損させたりするおそれがある。
【０００５】
そこで、メンテナンスパネルをヒンジ構造によって横開き可能に外装箱に連結することが考えられる。この場合、メンテナンスパネルを取り外す必要がなくなるとともに、メンテナンスパネルを開いた状態に保持しやすくなる。しかしながら、熱交換換気装置を天井面から吊り支持する吊り支持棒が開口の側方にある場合には、メンテナンスパネルと吊り支持棒の干渉を避けるために、開口の大きさが制限されてしまい、メンテナンス作業の効率が低下してしまう場合がある。
【０００６】
本発明は、上記に鑑みてなされたものであって、メンテナンス用の開口を塞ぐ蓋がメンテナンス作業の邪魔になりにくく、より大きな開口を形成することのできる熱交換換気装置を得ることを目的とする。
【課題を解決するための手段】
【０００７】
上述した課題を解決し、目的を達成するために、本発明は、天面板、底面板および天面板と底面板との間を塞ぐ側面板とを有する箱体形状を呈し、室外から室内に向かう給気流を通す給気通風路と室内から室外に向かう排気流を通す排気通風路とが内部に形成されたケーシングと、ケーシングの内部に設けられて給気流と排気流との間で熱交換させる熱交換素子と、給気通風路に設けられて給気流を加湿する加湿部と、側面板に形成されたメンテナンス用の開口を塞ぐ閉塞面を有して板状形状を呈する蓋と、を備え、蓋には、開口が形成される側面板と平行かつ水平方向に突出する軸部が形成され、ケーシングには、開口の上方で軸部を支持して、軸部を通る回転軸を中心に蓋を回転可能とする蓋支持片が形成され、蓋支持片には、上下方向に延びて軸部が嵌る溝が形成され、蓋の閉塞面の反対面となる外側面のうち開口を塞いだ状態において回転軸を含む水平面と重なる部分を第１の基準部とし、第１の基準部と回転軸との距離を第１の基準距離とした場合に、蓋の外側面は、蓋が開口を塞いだ状態において第１の基準部よりも上方となる領域に、回転軸との距離が第１の基準距離よりも大きい第２の基準距離となる第２の基準部を有し、溝は上方よりも下方のほうが、開口が形成された側面板との距離が近く、溝の上方に軸部が位置している状態で、開口が形成された側面板と回転軸との距離が、開口を塞いだ状態において蓋のうち水平面よりも上方となる部分と蓋の回転軸との距離よりも大きくなり、溝の下方に軸部が位置している状態で、開口が形成された側面板と回転軸との距離が、第１の基準距離以上かつ第２の基準距離未満となることを特徴とする。
【発明の効果】
【０００８】
本発明にかかる熱交換換気装置によれば、メンテナンス用の開口を塞ぐ蓋がメンテナンス作業の邪魔になりにくく、より大きな開口を形成することができるという効果を奏する。
【図面の簡単な説明】
【０００９】
【図１】本発明の実施の形態１にかかる熱交換換気装置の斜視図
【図２】実施の形態１における加湿部の斜視図
【図３】実施の形態１における加湿部のメンテナンス用の開口が形成された側面板の部分拡大斜視図
【図４】実施の形態１におけるメンテナンスパネルの正面図
【図５】実施の形態１における開口を塞いだ状態のメンテナンスパネルと側面板の側面図
【図６】実施の形態１における蓋支持片の側面図
【図７】実施の形態１における開口をメンテナンスパネルで塞いだ状態を示す図
【図８】実施の形態１における開口を塞いだ状態からメンテナンスパネルを１８０度回転させて、開口を開放した状態を示す図
【図９】図８に示す状態から実施の形態１におけるメンテナンスパネルを下方にスライド移動させた状態を示す図
【図１０】実施の形態１における開口を塞いだ状態からメンテナンスパネルを９０度回転させて、開口を開放した状態を示す図
【発明を実施するための形態】
【００１０】
以下に、本発明の実施の形態にかかる熱交換換気装置を図面に基づいて詳細に説明する。なお、この実施の形態によりこの発明が限定されるものではない。
【００１１】
実施の形態１．
図１は、本発明の実施の形態１にかかる熱交換換気装置の斜視図である。図１では、ケーシングである外装箱５の天面板９および側面板８０の一部、内蔵部品の一部を透過して示している。熱交換換気装置５０は、加湿機能を備えた加湿機能付熱交換換気装置である。熱交換換気装置５０は、天井面から吊り支持されて、図示を省略するダクトを通じて給排気を行い、室内を換気する。
【００１２】
熱交換換気装置５０は、機能により、全熱交換部５１、加湿部５２および室内風路部５３の三つの部位に分けられる。外装箱５は、天面板９、底面板１０、天面板９と底面板１０との間を塞ぐ四つの側面板８０とを備えた直方体形状の箱型形状に構成されている。外装箱５の下端には、熱交換換気装置５０を吊り支持するための支持突部８７が形成されている。例えば、天井面から延びる吊り支持棒（図示せず）に支持突部８７を係合させることで、熱交換換気装置５０が天井面から吊り支持される。すなわち、吊り支持棒は、支持突部８７から上方に延びることとなる。
【００１３】
外装箱５の内部は、仕切板５４により全熱交換部５１、加湿部５２および室内風路部５３の三つの部位に仕切られている。全熱交換部５１の内部には、室外から室内に向かう給気流を通す給気通風路と室内から室外に向かう排気流を通す排気通風路とが形成されている。
【００１４】
給気送風機６は、給気通風路に設置されている。給気通風路は、給気送風機６の運転により室外から室内へ向かう給気流を通す。給気送風機６は、電動機６１と、電動機６１の駆動により回転する羽根部材６２とを、渦巻状に形成された給気用ファンケーシング６３で囲んで構成されている。
【００１５】
排気送風機７は、排気通風路に設置されている。排気通風路は、排気送風機７の運転により室内から室外へ向かう排気流を通す。排気送風機７は、電動機７１と、電動機７１の駆動により回転する羽根部材７２とを、渦巻状に形成された排気用ファンケーシング７３で囲んで構成されている。
【００１６】
熱交換素子８は、給気通風路および排気通風路の途中であって、全熱交換部５１の中央に設置されている。熱交換素子８は、給気通風路を通る給気流と排気通風路を通る排気流との間で熱交換を行わせる。熱交換素子８は、平板紙上に接着された波板紙による多層構造をなす給気通路と、平板紙上に接着された波板紙による多層構造をなす排気通路とを、給気通路の方向と排気通路の方向とが直交するように複数積層したものである。給気通風路を通る給気流は、熱交換素子８の内部では給気通路を通り、排気通風路を通る排気流は、熱交換素子８の内部では排気通路を通る。したがって、熱交換素子８において、給気通風路を通過する給気流と排気通風路を通過する排気流との間で熱交換が行われる。
【００１７】
ガイドレール１３は、天面板９と底面板１０とに設けられている。熱交換素子８は、上下のガイドレール１３に沿って、外装箱５において水平方向に出し入れ可能に組み込まれている。メンテナンスカバー１１は、外装箱５の側面板８０のうち熱交換素子８の端面に対向する側面板８０に設けられている。メンテナンスカバー１１を開くことで、外装箱５に対して熱交換素子８を出し入れすることができる。
【００１８】
外気口１および排気口２は、外装箱５の一側面に設けられている。給気口３および還気口４は、外装箱５の側面のうち、外気口１および排気口２が設けられた側と逆側の面に設けられている。
【００１９】
給気通風路は、外気口１から熱交換素子８の給気通路および給気用ファンケーシング６３を経由して、給気口３に至る。排気通風路は、還気口４から熱交換素子８の排気通路および排気用ファンケーシング７３を経由して、排気口２に至る。給気通風路および排気通風路は、熱交換換気装置５０内において、給気と排気との混合が生じないように互いに独立して構成されている。電源ボックス１２は、外装箱５の内側に設けられている。
【００２０】
室内風路部５３は、全熱交換部５１の排気通風路の入口に空気を送る風路であり、加湿部５２よりも後に位置するように形成されている。
【００２１】
排気送風機７を運転することにより、室内の還気Ａは、ダクトを介して還気口４から室内風路部を通じて排気通風路へ吸い込まれる。排気通風路へ吸い込まれた還気Ａは、熱交換素子８の排気通路を通過した後、排気Ｂとなって、排気口２からダクトを介して室外へ吹き出される。
【００２２】
給気送風機６を運転することにより、室外の外気Ｃは、ダクトを介して外気口１から給気通風路へ吸い込まれる。給気通風路へ吸い込まれた外気Ｃは、熱交換素子８の給気通風路を通過した後、加湿エレメント２３を通過し、給気Ｄとなって、給気口３からダクトを介して室内へ吹き出される。
【００２３】
熱交換換気装置５０は、熱交換素子８での給気流と排気流との間の熱交換により、排気熱を回収して給気流とともに室内へ送る。これにより、室内の冷暖房負荷を軽減することが可能となる。また、熱交換換気装置５０は加湿機能付きであるため、加湿エレメント２３に熱交換後の空気を通して加湿することで、湿度を高めた状態で室内に空気を送ることが可能である。
【００２４】
図２は、実施の形態１における加湿部５２の斜視図である。加湿部５２は、全熱交換部５１の給気通風路側の出口に隣接して配置される。加湿部５２の内部には、外部水道配管を機器に接続する加湿給水ストレーナ２１、給水を制御する電磁弁２２、給気流を通すことで加湿を行う加湿エレメント２３、加湿エレメント２３および電磁弁２２から漏れた水を受けるドレンパン２４並びにドレンパン２４に溜まった水を検知する水検知センサ２５が内蔵される。
【００２５】
加湿給水ストレーナ２１は、外部水道配管と接続する給水口が外装箱５の前面に内側から突出するように加湿部５２に配置されている。電磁弁２２は、加湿給水ストレーナ２１と配管２１ａによって接続されている。配管２１ａの一例を挙げると、銅パイプである。加湿エレメント２３は、ドレンパン２４の中央に並べて設置されており、各々が給水チューブ２８によって電磁弁２２と接続され、給気流に水分を供給することで加湿を行う。加湿エレメント２３の二次側かつ給気口３の手前にはエリミネータ２７が配置され、空気中に浮遊する不純物が室内へ供給されることを防ぐ。水検知センサ２５は、ドレンパン２４に設定した量の水が溜まったことを検出するセンサであり、設定した量の水がドレンパン２４に溜まったことを検知したら電磁弁２２に信号を送り、電磁弁２２を閉じさせる。
【００２６】
図３は、実施の形態１における加湿部５２のメンテナンス用の開口８１が形成された側面板８０の部分拡大斜視図である。図３に示す側面板８０は、図１において電源ボックス１２が取り付けられた側面板８０であり、加湿部５２の側方を覆っている。この側面板８０には、メンテナンス用の開口８１が形成されている。開口８１を通して、加湿部５２のメンテナンスおよび外装箱５への加湿部５２の出し入れを行うことができる。
【００２７】
開口８１は、蓋であるメンテナンスパネル３２に塞がれる。図４は、実施の形態１におけるメンテナンスパネル３２の正面図である。図５は、実施の形態１における開口８１を塞いだ状態のメンテナンスパネル３２と側面板８０の側面図である。メンテナンスパネル３２は、開口８１を塞ぐ閉塞面３２ａを有して板状形状を呈する。メンテナンスパネル３２の上部には、開口８１が形成される側面板８０と平行かつ水平方向に突出する軸部８３が形成される。メンテナンスパネル３２は、開口８１が形成された側面板８０に対して、軸部８３を通る回転軸８２を中心に回転可能に取り付けられる。
【００２８】
メンテナンスパネル３２の閉塞面３２ａの反対面となる外側面３２ｂのうち、開口８１を塞いだ状態において回転軸８２を含む水平面と重なる部分を第１の基準部Ｐ１と規定し、第１の基準部Ｐ１と回転軸８２との距離を第１の基準距離Ｈ１と規定する。ここで、メンテナンスパネル３２の外側面３２ｂは、メンテナンスパネル３２が開口８１を塞いだ状態において第１の基準部Ｐ１よりも上方となる領域に、回転軸８２との距離が第１の基準距離Ｈ１よりも大きい第２の基準距離Ｈ２となる第２の基準部Ｐ２を有している。図５に示す例では、外側面３２ｂのうち第１の基準部Ｐ１よりも上方となる領域は、すべて回転軸８２との距離が第１の基準距離Ｈ１よりも大きい第２の基準部Ｐ２となる。
【００２９】
また、開口８１を塞いだ状態におけるメンテナンスパネル３２の上端面３２ｃのうち開口８１を塞いだ状態において回転軸８２を含む鉛直面と重なる部分を第３の基準部Ｐ３と規定し、第３の基準部Ｐ３と回転軸８２との距離を第３の基準距離Ｈ３と規定する。ここで、メンテナンスパネル３２の上端面３２ｃは、メンテナンスパネル３２が開口８１を塞いだ状態において第３の基準部Ｐ３よりも開口８１が形成された側面板８０に近い領域に、回転軸８２との距離が第３の基準距離Ｈ３よりも大きい第４の基準距離Ｈ４となる第４の基準部Ｐ４を有する。図５に示す例では、上端面３２ｃのうち第３の基準部Ｐ３よりも開口８１が形成された側面板８０に近い領域は、すべて回転軸８２との距離が第３の基準距離Ｈ３よりも大きい第４の基準部Ｐ４となる。なお、本実施の形態では、第１の基準距離Ｈ１と第３の基準距離Ｈ３は等しくなっている。
【００３０】
外装箱５には、開口８１の上方で軸部８３を支持して、軸部８３を通る回転軸８２を中心にメンテナンスパネル３２を回転可能とする蓋支持片８４が形成されている。蓋支持片８４は、開口８１の上部に取り付けられた保持部品２９の一部として形成されている。
【００３１】
図６は、実施の形態１における蓋支持片８４の側面図である。蓋支持片８４には、上下方向に延びて軸部８３が嵌る溝８５が形成されている。軸部８３は、溝８５内を移動可能とされる。これにより、メンテナンスパネル３２を上下にスライド移動させることが可能となる。
【００３２】
溝８５は、上端（上方）よりも下端（下方）のほうが、開口８１が形成された側面板８０との距離が近くなっている。したがって、メンテナンスパネル３２を上方に移動させれば、開口８１が形成された側面板８０との距離が大きくなり、メンテナンスパネル３２を下方に移動させれば、開口８１が形成された側面板８０との距離が小さくなる。
【００３３】
図６に示すように、溝８５の上端に軸部８３が位置している状態で、開口８１が形成された側面板８０と回転軸８２との距離Ｑ１は、開口８１を塞いだ状態においてメンテナンスパネル３２のうち回転軸８２を含む水平面よりも上方となる部分とメンテナンスパネル３２の回転軸８２との距離よりも大きくなる。これにより、軸部８３を溝８５の上端に位置させておけば、回転軸８２よりも上方となる部分が側面板８０と干渉しないため、メンテナンスパネル３２を回転させた開閉動作を円滑に行うことが可能となる。また、軸部８３を溝８５の上端に位置させておきやすいように、溝８５の上端は、開口８１が形成された側面板８０から離れる方向に折り曲がって形成されている。
【００３４】
また、溝８５の下端に軸部８３が位置している状態で、開口８１が形成された側面板８０と回転軸８２との距離Ｑ２が、第１の基準距離Ｈ１以上かつ第２の基準距離Ｈ２未満となる。特に、本実施の形態では、距離Ｑ２は、第１の基準距離Ｈ１と等しくなっている。ここで、第１の基準距離Ｈ１と第３の基準距離Ｈ３も等しいため、Ｑ２＝Ｈ１＝Ｈ３となっている。なお、ここでいう距離が等しいとは、距離Ｑ２よりも第１の基準距離Ｈ１および第３の基準距離Ｈ３がわずかに小さい、いわゆる略等しい距離も含む概念である。
【００３５】
次に、メンテナンスパネル３２の開閉動作について説明する。図７は、実施の形態１における開口８１をメンテナンスパネル３２で塞いだ状態を示す図である。開口８１を塞いだ状態において、メンテナンスパネル３２の下端に係合する固定ワイヤ３１によって、メンテナンスパネル３２は上方に持ち上げられており、軸部８３も溝８５の上端に位置している。そのため、固定ワイヤ３１による係合を解除すれば、メンテナンスパネル３２を回転させることが可能となる。なお、メンテナンスパネル３２の閉塞面３２ａに取り付けられた断熱材８６が、開口８１の内側に嵌ることで、軸部８３が溝８５の上端に位置するように構成されていてもよい。
【００３６】
図８は、実施の形態１における開口８１を塞いだ状態からメンテナンスパネル３２を１８０度回転させて、開口８１を開放した状態を示す図である。図８に示す状態では、軸部８３が溝８５の上端に位置しているため、メンテナンスパネル３２が自由に回転できる状態となっている。そのため、メンテナンスパネル３２から手を放せば、メンテナンスパネル３２が回転して、開口８１が塞がれてしまう。
【００３７】
図９は、図８に示す状態から実施の形態１におけるメンテナンスパネル３２を下方にスライド移動させた状態を示す図である。メンテナンスパネル３２を下方にスライド移動させることで、軸部８３を溝８５の下端に位置させることができる。この状態では、開口８１が形成された側面板８０と回転軸８２との距離Ｑ２が、第１の基準距離Ｈ１と等しくなるため、第１の基準距離Ｈ１よりも大きな第２の基準距離Ｈ２となる第２の基準部Ｐ２が側面板８０に引っ掛かり、メンテナンスパネル３２の回転が規制される（図５および図６も参照）。したがって、メンテナンスパネル３２から手を放しても、メンテナンスパネル３２を１８０度開いた状態で保持することが可能となる。そのため、メンテナンスパネル３２がメンテナンス作業の邪魔になりにくい。また、軸部８３が重力に逆らって溝８５の上方に移動しにくいため、メンテナンスパネル３２が不意に閉じることが防がれる。
【００３８】
図１０は、実施の形態１における開口８１を塞いだ状態からメンテナンスパネル３２を９０度回転させて、開口８１を開放した状態を示す図である。図１０では、メンテナンスパネル３２を下方にスライド移動させた状態を示している。この状態では、開口８１が形成された側面板８０と回転軸８２との距離Ｑ２が、第３の基準距離Ｈ３と等しくなるため、第３の基準距離Ｈ３よりも大きな第４の基準距離Ｈ４となる第４の基準部Ｐ４が側面板８０に引っ掛かり、メンテナンスパネル３２の回転が規制される（図５および図６も参照）。したがって、メンテナンスパネル３２から手を放しても、メンテナンスパネル３２を９０度開いた状態で保持することが可能となる。そのため、メンテナンスパネル３２がメンテナンス作業の邪魔になりにくい。また、軸部８３が重力に逆らって溝８５の上方に移動しにくいため、メンテナンスパネル３２が不意に閉じることが防がれる。
【００３９】
図９および図１０に示す状態からメンテナンスパネル３２を閉じる場合には、メンテナンスパネル３２を持ち上げて、軸部８３を溝８５の上端に位置させてから、メンテナンスパネル３２を回転させればよい。
【００４０】
また、水平に延びる回転軸８２を中心にメンテナンスパネル３２を回転させる、すなわち上下にメンテナンスパネル３２を回転させて開閉させることができるので、外装箱５に形成された支持突部８７に係合されて上方に延びる吊り支持棒（図示せず）、すなわち開口８１の側方にある吊り支持棒にメンテナンスパネル３２が干渉することがない。そのため、吊り支持棒とメンテナンスパネル３２との干渉を考慮せずに開口８１の大きさを決定することができる。したがって、外装箱５の側面板８０に対して、より大きな開口８１を形成することが可能となる。より大きな開口８１を形成することで、開口８１を通して加湿部５２を外装箱５の内部から取り出しやすくなる。例えば、設置された姿勢を保持したまま加湿部５２を外装箱５の内部から取り出すことができれば、加湿部５２を傾けた際に発生しやすい水漏れを防ぐことができる。
【００４１】
なお、メンテナンスパネル３２の軸部８３を溝８５の下端に移動させた場合に、メンテナンスパネル３２の姿勢を保持することができる構成を例に挙げて説明したがこれに限られない。例えば、メンテナンスパネル３２を回転可能な溝８５の上端から軸部８３を下方にスライドさせていく過程で、軸部８３が溝８５の下端に到達する前に、開口８１が形成された側面板８０と回転軸８２との距離が、第１の基準距離Ｈ１または第３の基準距離Ｈ２と等しくなるように構成してもよい。この場合、軸部８３が溝８５の下端に到達する前に、メンテナンスパネル３２の回転が規制される状態となり、メンテナンスパネル３２の姿勢が保持される。
【００４２】
また、本実施の形態１では、メンテナンスパネル３２を１８０度回転させた状態でも、９０度回転させた状態でも、その姿勢を保持できる構成を採用しているが、いずれか一方の状態でのみ姿勢を保持できるように構成してもよい。例えば、メンテナンスパネル３２の上端面３２ｃにおいて、回転軸８２との距離が第３の基準距離Ｈ３よりも大きくなる部分を有さなければ、メンテナンスパネル３２を９０度回転させた状態での姿勢の保持がされず、１８０度回転させた状態での姿勢の保持のみが可能となる（図５も参照）。また、メンテナンスパネル３２の外側面３２ｃにおいて、回転軸８２を含む水平面よりも上方となる部分で、回転軸８２との距離が第１の基準距離Ｈ１よりも大きくなる部分を有さなければ、メンテナンスパネル３２を１８０度回転させた状態での姿勢の保持がされず、９０度回転させた状態での姿勢の保持のみが可能となる。
【００４３】
また、溝８５の下端に軸部８３が位置している状態で、Ｈ１≦Ｑ２＜Ｈ２となっていれば、メンテナンスパネル３２の姿勢が保持される角度を、９０度および１８０度以外の角度に設定することも可能である。
【００４４】
また、本実施の形態１で示した開口８１およびメンテナンスパネル３２の構成を、熱交換素子８をメンテナンスするための開口および外装箱５の内部に設けられた他の機器をメンテナンスするための開口に採用してもよい。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１  外気口、２  排気口、３  給気口、４  還気口、５  外装箱（ケーシング）、６  給気送風機、７  排気送風機、８  熱交換素子、９  天面板、１０  底面板、１１  メンテナンスカバー、１２  電源ボックス、１３  ガイドレール、２１  加湿給水ストレーナ、２１ａ  配管、２２  電磁弁、２３  加湿エレメント、２４  ドレンパン、２５  水検知センサ、２７  エリミネータ、２８  給水チューブ、２９  保持部品、３１  固定ワイヤ、３２  メンテナンスパネル（蓋）、３２ａ  閉塞面、３２ｂ  外側面、３２ｃ  上端面、５０  熱交換換気装置、５１  全熱交換部、５２  加湿部、５３  室内風路部、５４  仕切板、６１，７１  電動機、６２，７２  羽根部材、６３  給気用ファンケーシング、７３  排気用ファンケーシング、８０  側面板、８１  開口、８２  回転軸、８３  軸部、８４  蓋支持片、８５  溝、８６  断熱材、８７  支持突部。
【図１】
0006508949.tif 000002
【図２】
0006508949.tif 000003
【図３】
0006508949.tif 000004
【図４】
0006508949.tif 000005
【図５】
0006508949.tif 000006
【図６】
0006508949.tif 000007
【図７】
0006508949.tif 000008
【図８】
0006508949.tif 000009
【図９】
0006508949.tif 000010
【図１０】
0006508949.tif 000011